【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
コンピュータ周辺機器のアプリケーション機能を実行するアプリケーションシステムを含むコンピュータ周辺機器への記憶機能の追加方法であって、
（１）前記コンピュータ周辺機器を汎用バスインタフェースを介してホストへ接続するステップと、
（２）前記コンピュータ周辺機器内に追加の半導体記憶装置を配設するステップと、
（３）前記コンピュータ周辺機器内に機能選択及び制御スイッチを配設するステップと、
（４）前記機能選択及び制御スイッチをそれぞれ前記追加の半導体記憶装置と前記コンピュータ周辺機器の前記アプリケーションシステムとに接続するステップと、
（５）前記機能選択及び制御スイッチを前記汎用バスインタフェースを介して前記ホストへ接続するステップとを含み、
（６）前記機能選択及び制御スイッチが、前記ホストに接続するアプリケーションシステムを選択して前記コンピュータ周辺機器のアプリケーション機能を実行するとともに、前記ホストへ接続する前記追加の半導体記憶装置を選択して前記データ記憶機能を実行するか、又は、前記ホストへ同時に接続する前記アプリケーションシステムと前記追加の半導体記憶装置とを選択し、前記ユーザの要求に従い前記コンピュータ周辺機器のアプリケーション機能とデータ記憶機能とを実行する、ことを特徴とする方法。
【請求項２】
前記追加の半導体記憶装置は、少なくとも前記コンピュータ周辺機器の駆動プログラムを備える、ことを特徴とする請求項１記載の方法。
【請求項３】
前記機能選択及び制御スイッチは、汎用バスインタフェーススイッチ又は汎用バスインタフェースハブである、ことを特徴とする請求項２記載の方法。
【請求項４】
前記汎用バスインタフェースは、ＵＳＢインタフェースとＩＥＥＥ１３９４インタフェースと無線汎用インタフェースとブルートゥースインタフェースとＩｒＤＡインタフェースと家庭用ＲＦインタフェースとＩＥＥＥ８０２．１１ａインタフェースとＩＥＥＥ８０２．１１ｂインタフェースのうちの一つであり、前記汎用バスインタフェースは非標準バスインタフェースである、ことを特徴とする請求項２記載の方法。
【請求項５】
前記追加の半導体記憶装置は、半導体記憶媒体サブモジュールと記憶装置汎用バスインタフェース制御サブモジュールとを含み、該記憶装置汎用バスインタフェース制御サブモジュールに機能選択及び制御スイッチを接続した、ことを特徴とする請求項２記載の方法。
【請求項６】
前記半導体記憶媒体サブモジュールは１以上の半導体記憶媒体で構成され、前記半導体記憶媒体はフラッシュメモリとＥＥＰＲＯＭとＦＲＡＭとＳＲＡＭとＳＤＲＡＭとＤＲＡＭとＭＲＡＭのうちの一つとした、請求項５記載の方法。
【請求項７】
前記追加の半導体記憶装置はさらに、前記追加の記憶装置のアプリケーションを開くか禁止するイネーブルスイッチを備える、ことを特徴とする請求項１乃至６のいずれか１項に記載の方法。
【請求項８】
コンピュータ周辺機器のアプリケーション機能を実行するアプリケーションシステムを含むコンピュータ周辺機器に対し記憶機能を追加する方法であって、
（１）コンピュータ周辺機器を汎用バスインタフェースを介してホストへ接続するステップと、
（２）前記コンピュータ周辺機器内に、半導体記憶媒体サブモジュールを備えた追加の半導体記憶装置を配設するステップと、
（３）前記コンピュータ周辺機器内に複数のコントローラサブモジュールを配設するステップと、
（４）前記複数のコントローラサブモジュールを前記半導体記憶媒体サブモジュールと前記コンピュータ周辺機器のアプリケーションシステムとにそれぞれ接続するステップと、
（５）前記複数のコントローラサブモジュールを前記汎用バスインタフェースを介して前記ホストへ接続し、前記コンピュータ周辺機器のアプリケーション機能及び／又は半導体記憶装置のデータアクセス機能を実現するステップとを含む、ことを特徴とする方法。
【請求項９】
前記追加の半導体記憶媒体サブモジュールは、少なくとも前記コンピュータ周辺機器の駆動プログラムを備える、請求項８記載の方法。
【請求項１０】
前記汎用バスインタフェースは、ＵＳＢインタフェースとＩＥＥＥ１３９４インタフェースと無線汎用インタフェースとブルートゥースインタフェースとＩｒＤＡインタフェースと家庭用ＲＦインタフェースとＩＥＥＥ８０２．１１ａインタフェースとＩＥＥＥ８０２．１１ｂインタフェースのうちの一つであり、前記汎用バスインタフェースは非標準バスインタフェースである、ことを特徴とする請求項９記載の方法。
【請求項１１】
前記半導体記憶媒体サブモジュールは１以上の半導体記憶媒体で構成してあり、前記半導体記憶媒体はフラッシュメモリとＥＥＰＲＯＭとＦＲＡＭとＳＲＡＭとＤＲＡＭとＳＤＲＡＭとＭＲＡＭのうちの一つとした、ことを特徴とする請求項９記載の方法。
【請求項１２】
追加の記憶可能容量を有し、汎用インタフェースを介してホストへ接続するコンピュータ周辺機器において、当該コンピュータ周辺機器のアプリケーション機能を実現するアプリケーションシステムを備えるコンピュータ周辺機器であって、
前記記憶データを供給する追加の半導体記憶装置と、
前記汎用バスインタフェースと前記追加の半導体記憶装置と前記アプリケーションシステムとにそれぞれ接続され、前記汎用バスインタフェースを介して前記ホストとデータ交換する機能選択及び制御スイッチと
をさらに備える、ことを特徴とするコンピュータ周辺機器。
【請求項１３】
前記追加の半導体記憶装置は、前記コンピュータ周辺機器の少なくとも一つの駆動プログラムを備える、ことを特徴とする請求項１２記載のコンピュータ周辺機器。
【請求項１４】
前記機能選択及び制御スイッチは、汎用バスインタフェーススイッチ又は汎用バスインタフェースハブである、ことを特徴とする請求項１２記載のコンピュータ周辺機器。
【請求項１５】
前記汎用バスインタフェースは、ＵＳＢインタフェースとＩＥＥＥ１３９４インタフェースと無線汎用インタフェースとブルートゥースインタフェースとＩｒＤＡインタフェースと家庭用ＲＦインタフェースとＩＥＥＥ８０２．１１ａインタフェースとＩＥＥＥ８０２．１１ｂインタフェースのうちの一つであり、前記汎用バスインタフェースは非標準バスインタフェースである、ことを特徴とする請求項１４記載のコンピュータ周辺機器。
【請求項１６】
前記追加の半導体記憶装置は、半導体記憶媒体サブモジュールと記憶装置汎用バスインタフェース制御サブモジュールとを含み、該記憶装置汎用バスインタフェース制御サブモジュールに前記機能選択及び制御スイッチを接続した、ことを特徴とする請求項１２記載のコンピュータ周辺機器。
【請求項１７】
前記半導体記憶媒体サブモジュールは１以上の半導体記憶媒体で構成してあり、前記半導体記憶媒体はフラッシュメモリとＥＥＰＲＯＭとＦＲＡＭとＳＲＡＭとＤＲＡＭとＳＤＲＡＭとＭＲＡＭのうちの一つとした、ことを特徴とする請求項１６記載のコンピュータ周辺機器。
【請求項１８】
前記追加の半導体記憶装置はさらに、前記追加の記憶装置の前記アプリケーションを開くか禁止するイネーブルスイッチを備える、ことを特徴とする請求項１２乃至１７のいずれか１項に記載のコンピュータ周辺機器。
【請求項１９】
追加の記憶可能容量を有し、汎用インタフェースを介してホストに接続するコンピュータ周辺機器において、当該コンピュータ周辺機器のアプリケーション機能を実現するアプリケーションシステムを備える前記コンピュータ周辺機器であって、
データを記憶する半導体記憶サブモジュールと、
前記アプリケーションシステムサブモジュールと前記半導体記憶サブモジュールとにそれぞれ接続される複数コントローラサブモジュールと、を備え、
前記複数コントローラサブモジュールと前記半導体記憶サブモジュールと前記アプリケーションシステムサブモジュールとにより、データアクセス及び／又は前記コンピュータ周辺機器のアプリケーション機能を実現する、ことを特徴とするコンピュータ周辺機器。
【請求項２０】
追加の前記半導体記憶媒体サブモジュールは、前記コンピュータ周辺機器の少なくとも一つの駆動プログラムを備える、ことを特徴とする請求項１９記載のコンピュータ周辺機器。
【請求項２１】
前記汎用バスインタフェースは、ＵＳＢインタフェースとＩＥＥＥ１３９４インタフェースと無線汎用インタフェースとブルートゥースインタフェースとＩｒＤＡインタフェースと家庭用ＲＦインタフェースとＩＥＥＥ８０２．１１ａインタフェースとＩＥＥＥ８０２．１１ｂインタフェースのうちの一つであり、前記汎用バスインタフェースは非標準バスインタフェースである、ことを特徴とする請求項１９記載のコンピュータ周辺機器。
【請求項２２】
前記半導体記憶媒体サブモジュールは１以上の半導体記憶媒体で構成してあり、前記半導体記憶媒体はフラッシュメモリとＥＥＰＲＯＭとＦＲＡＭとＳＲＡＭとＤＲＡＭとＳＤＲＡＭとＭＲＡＭのうちの一つである、ことを特徴とする請求項２０記載のコンピュータ周辺機器。